(57)【要約】【課題】  再利用を防ぐことが可能なＩＣタグを提供する。【解決手段】  一実施形態に係るＩＣタグは、人体装着部材と、ＩＣチップと、アンテナ基板と、第１の接着部材と、第２の接着部材と、を具備する。第１の接着剤は、第１の接着強度で前記人体装着部材と前記ＩＣチップとを接着する。第２の接着剤は、導電性を有し、且つ前記第１の接着強度よりも弱い第２の接着強度で前記ＩＣチップと前記アンテナ基板とを接着する。【選択図】      図２
2017211710.tif 000002
【特許請求の範囲】
【請求項１】
人体装着部材と、
ＩＣチップと、
アンテナ基板と、
第１の接着強度で前記人体装着部材と前記ＩＣチップとを接着する第１の接着部材と、
導電性を有し、且つ前記第１の接着強度よりも弱い第２の接着強度で前記ＩＣチップと前記アンテナ基板とを接着する第２の接着部材と、
を具備するＩＣタグ。
【請求項２】
前記人体装着部材は、前記ＩＣチップの少なくとも一部を収容する凹部を備え、
前記第１の接着部材は、前記凹部に収容された前記ＩＣチップの一部と前記人体装着部材の前記凹部とを接着する請求項１に記載のＩＣタグ。
【請求項３】
前記アンテナ基板の前記ＩＣチップが接着された面と逆側の面に設けられ、前記第２の接着強度よりも強い第３の接着強度で前記アンテナ基板を人体に接着する為の第３の接着部材をさらに具備する請求項１に記載のＩＣタグ。
【請求項４】
前記第３の接着強度よりも弱い第４の接着強度で前記人体装着部材と前記アンテナ基板とを接着する第４の接着部材をさらに具備する請求項３に記載のＩＣタグ。
【請求項５】
第４の接着強度で前記人体装着部材と前記アンテナ基板とを接着する第４の接着部材をさらに具備し、
前記第４の接着強度は、前記第２の接着強度との合計が前記第１の接着強度よりも弱い強度である請求項１に記載のＩＣタグ。
【請求項６】
前記第１の接着強度及び前記第２の接着強度は、剥離接着強度または引張接着強度である請求項１に記載のＩＣタグ。
【発明の詳細な説明】
【技術分野】
【０００１】
本発明の実施形態は、ＩＣタグに関する。
【背景技術】
【０００２】
非接触式方式の通信が可能なＩＣタグが実用化されている。ＩＣタグは、アンテナと、アンテナに接続されたＩＣチップと、を備える。ＩＣチップは、アンテナを介して外部機器であるリーダライタと非接触通信を行うことができる。
【０００３】
また、簡易的にユーザの人体に装着することができるネイルチップなどの人体装着部材にＩＣタグを取り付けた人体装着型ＩＣタグがある。
【先行技術文献】
【特許文献】
【０００４】
【特許文献１】特開２００８−０４６９２２号公報
【発明の概要】
【発明が解決しようとする課題】
【０００５】
上記のような人体装着型ＩＣタグの用途として、例えばイベントの入退場管理などの用途がある。このような用途では、複数のユーザに人体装着型ＩＣタグを使いまわされることを防ぐ為に、ユーザが人体装着型ＩＣタグを外した場合に人体装着型ＩＣタグを利用不可能な状態にすることが望ましい。
【０００６】
本発明は、再利用を防ぐことが可能なＩＣタグを提供することを目的とする。
【課題を解決するための手段】
【０００７】
一実施形態に係るＩＣタグは、人体装着部材と、ＩＣチップと、アンテナ基板と、第１の接着部材と、第２の接着部材と、を具備する。第１の接着剤は、第１の接着強度で前記人体装着部材と前記ＩＣチップとを接着する。第２の接着剤は、導電性を有し、且つ前記第１の接着強度よりも弱い第２の接着強度で前記ＩＣチップと前記アンテナ基板とを接着する。
【図面の簡単な説明】
【０００８】
【図１】図１は、一実施形態に係る人体装着型ＩＣタグの構成例について説明するための図である。
【図２】図２は、一実施形態に係る人体装着型ＩＣタグの構成例について説明するための図である。
【図３】図３は、一実施形態に係る人体装着型ＩＣタグの装着例について説明するための図である。
【図４】図４は、一実施形態に係る人体装着型ＩＣタグの装着例について説明するための図である。
【図５】図５は、一実施形態に係る人体装着型ＩＣタグを取り外した例について説明するための図である。
【発明を実施するための形態】
【０００９】
以下、図面を参照しながら、一実施形態に係るＩＣタグについて詳細に説明する。  
ＩＣタグは、ユーザの人体に装着することができる人体装着部材にＩＣタグを取り付けた人体装着型ＩＣタグである。人体装着部材は、例えばネイルチップなどである。ＩＣタグは、例えばイベントの入退場管理などの用途に用いられる。
【００１０】
図１及び図２は、一実施形態に係る人体装着型のＩＣタグ１の構成例について説明するための図である。図１は、ＩＣタグ１の外観の例を示す図である。図２は、図１のＡＡ線でＩＣタグ１を切断した場合の断面を示す図である。
【００１１】
また、図３及び図４は、一実施形態に係る人体装着型のＩＣタグ１の装着例について説明するための図である。図３は、人体に装着されたＩＣタグ１の構成を示す図である。図４は、人体に装着されたＩＣタグ１の外観を示す図である。
【００１２】
図１及び図２に示されるように、ＩＣタグ１は、ネイルチップ２、ＩＣチップ３、アンテナ基板４、アンテナ５、第１の接着部材６、第２の接着部材７、第３の接着部材８、第４の接着部材９、及び剥離シート１０を備える。
【００１３】
ネイルチップ２は、ＩＣチップ３及びアンテナ基板４が接着される基部として機能する人体装着部材である。ネイルチップ２は、例えば、人体の爪に装着された場合に人体の爪と向き合う第１の面と、人体の爪に装着された場合に人体の爪と逆側を向く第２の面と、を有する。ネイルチップ２の第１の面には、第１の面から所定の深さで凹部１１が形成されている。凹部１１は、例えば、ＩＣチップ３の少なくとも一部を収容可能な形状で形成されている。即ち、凹部１１は、ＩＣチップ３に応じた形状であり且つ公差を吸収可能な寸法で形成される。
【００１４】
ＩＣチップ３は、外部のリーダライタとの通信に関する信号処理、演算処理、記憶処理などを実行する。ＩＣチップ３は、ネイルチップ２の凹部１１に少なくとも一部が収容される。ＩＣチップ３は、凹部１１の底部と対向する第１の面と、第１の面と逆側に設けられた第２の面とを有する筐体を有する。ＩＣチップ３は、例えばＣＰＵ、ＲＯＭ、ＲＡＭ、不揮発性メモリ、電源部、コプロセッサ、及び通信部などを筐体内に備える。さらに、ＩＣチップ３は、第２の面に設けられた一対のアンテナ接続用端子１２を備える。
【００１５】
アンテナ基板４は、例えば樹脂などの絶縁性であり、且つ可撓性を有する材料により形成された部材である。アンテナ基板４は、例えば矩形状且つ扁平状に構成される。即ち、アンテナ基板４は、対向する一対の面（第１の面及び第２の面）を有する。アンテナ基板４の一方であり、且つネイルチップ２の第１の面と向き合う第１の面には、アンテナ５が配設されている。
【００１６】
アンテナ５は、磁場が印加された場合に誘導電流を生成する導電性の部材である。アンテナ５は、非接触通信に用いられる周波数に応じた形状でアンテナ基板４上に形成される。例えば、アンテナ５は、アンテナ基板４上にスパッタリング、エッチング、または他の手法によって形成される。また、アンテナ５の両端部には、ＩＣチップ３のアンテナ接続用端子１２とアンテナ５とを電気的に接続する為の一対のアンテナ端子１３が構成されている。
【００１７】
第１の接着部材６は、第１の接着強度で人体装着部材であるネイルチップ２とＩＣチップ３とを接着する接着部材である。第１の接着部材６は、ネイルチップ２の凹部１１に収容されたＩＣチップ３の一部と凹部１１とを接着する。より具体的には、第１の接着部材６は、ネイルチップ２の凹部１１に収容されたＩＣチップ３の少なくとも第１の面を含む一部と凹部１１とを接着する接着面を構成する。第１の接着部材６は、例えば接着テープ、または接着剤などとして構成される。第１の接着部材６は、例えば絶縁性の接着剤である。第１の接着部材６は、例えば、常温で固形または半固形であり、且つ高温で液体となる熱溶融型接着剤である。
【００１８】
第２の接着部材７は、第１の接着強度よりも弱い第２の接着強度でＩＣチップ３とアンテナ基板４とを接着する接着部材である。第２の接着部材７は、例えば、ＩＣチップ３の第２の面に設けられた一対のアンテナ接続用端子１２と、アンテナ基板４の第１の面に設けられた一対のアンテナ端子１３とを接着する接着面を構成する。第２の接着部材７は、例えばペースト状で構成される導電性の接着剤である。より具体的には、第２の接着部材７は、導電性の微粒子を含む液状組成物として構成され、被膜の厚み方向に導電性を有し、且つ被膜の面と平行な方向には絶縁性を有する異方導電性の接着剤である。即ち、第２の接着部材７は、一対のアンテナ接続用端子１２の間及び一対のアンテナ端子１３の間のそれぞれにおいて絶縁し、且つ一対のアンテナ接続用端子１２の内の一方と一対のアンテナ端子１３の一方とを電気的に接続する。
【００１９】
第３の接着部材８は、第２の接着強度よりも強い第３の接着強度でアンテナ基板４を人体（例えば爪の表面）に接着する為の接着部材である。第３の接着部材８は、アンテナ基板４のＩＣチップ３が接着された第１の面とは逆側である第２の面に設けられる。第３の接着部材８は、例えば接着テープ、または接着剤などとして構成される。第３の接着部材８は、例えば感圧型の接着部材であり、圧力に応じてアンテナ基板４を人体に接着する接着面を構成する。
【００２０】
第４の接着部材９は、第４の接着強度でネイルチップ２とアンテナ基板４とを接着する接着面を構成する。なお、第４の接着強度は、第２の接着強度との合計が第１の接着強度よりも弱い強度である。また、第４の接着強度は、第３の接着強度よりも弱い強度である。第４の接着部材９は、アンテナ基板４とネイルチップ２とに亘ってアンテナ基板４の第１の面上の第２の接着部材７が設けられた領域を除く領域に設けられる。第４の接着部材９は、例えば接着テープ、または接着剤などとして構成される。
【００２１】
剥離シート１０は、第３の接着部材８を覆うシートである。剥離シート１０は、第３の接着部材８から剥離シート１０を剥がしやすくする為の剥離加工が紙の表面に施されたシートである。剥離シート１０は、第３の接着部材８の粘着性能を維持する。
【００２２】
上記の第１の接着強度、第２の接着強度、第３の接着強度、及び第４の接着強度は、例えば剥離接着強度または引張接着強度である。剥離接着強度は、ＪＩＳ  Ｋ６８５４に規定されているように接着面の端部から接着面と平行な方向及び接着面と直交する方向に対して荷重（剥離荷重）をかけ、接着面が破壊された時の荷重を示す。また、引張接着強度は、ＪＩＳ  Ｋ６８４９に規定されているように接着面に対して直交する方向に荷重（引張荷重）をかけ、接着面が破壊された時の荷重を示す。
【００２３】
なお、第１の接着強度は、さらに圧縮せん断接着強度を含んでいてもよい。圧縮せん断接着強度は、ＪＩＳ  Ｋ６８５２に規定されているように接着面と平行な方向に対して荷重（圧縮荷重及びせん断荷重）をかけ、接着面が破壊されたときの荷重を示す。
【００２４】
上記のように構成されたネイルチップ型のＩＣタグ１を人体に装着する場合、剥離シート１０を剥がし、第３の接着部材８を露出させた状態で人体の爪に押し当てる。これにより、図３及び図４に示されるように、第３の接着部材８によって爪にＩＣタグ１のアンテナ基板４が接着される。なお、図３及び図４に示されるように、ＩＣタグ１のアンテナ基板４、アンテナ５、及びＩＣチップ３は、ネイルチップ２と爪との間に収容される。
【００２５】
上記のように人体に装着されたＩＣタグ１を外す場合、ネイルチップ２に対して荷重が付加される。例えば、ネイルチップ２の端部に対してネイルチップ２を外す方向、即ちネイルチップ２の第２の面と直交する方向に荷重が付加された場合、ネイルチップ２の第１の面とＩＣチップ３の第１の面とを接着する第１の接着部材６の接着面と、及びアンテナ基板４の第１の面とＩＣチップ３の第２の面とを接着する第２の接着部材７の接着面と、にそれぞれ荷重（剥離荷重及び引張荷重）が付加される。しかし、第２の接着部材７の第２接着強度は、第１の接着部材６の第１の接着強度に比べて弱く構成されている為、第２の接着部材７の接着面は、第１の接着部材６の接着面よりも先に破壊される。この結果、ＩＣチップ３は、図５に示されるように第１の接着部材６によってネイルチップ２に接着されたままネイルチップ２と共にアンテナ基板４から剥がされる。これにより、ＩＣチップ３とアンテナ基板４のアンテナ５との電気的な接続が破壊される。この結果、ＩＣタグ１は、ネイルチップ２を人体から剥がした場合に使用不能になる。
【００２６】
また、ＩＣチップ３は、ネイルチップ２の第１の面に形成された凹部１１に収容された状態で第１の接着部材６により接着されている。この場合、第１の接着部材６は、ネイルチップ２の第１の面に形成された凹部１１の側部と、ＩＣチップ３の側部と、の間に接着面を構成する。ネイルチップ２を外す方向に荷重が付加された場合、ネイルチップ２の第１の面に形成された凹部１１の側部とＩＣチップ３の側部との間に第１の接着部材６により構成された接着面に対して荷重（圧縮荷重及びせん断荷重）が付加される。即ち、ネイルチップ２を剥がす方向に生じた荷重がこの接着面によって分散される。このように、ネイルチップ２に構成された凹部１１は、ＩＣチップ３との接着強度をより高めることができる。
【００２７】
また、第３の接着部材８は、第２の接着部材７第２の接着強度よりも強い第３の接着強度でアンテナ基板４と人体の爪とを接着している。この為、アンテナ基板４とＩＣチップ３とが第２の接着部材により接着されたまま人体から剥がされることを防ぐことができる。これにより、アンテナ基板４を第３の接着部材８によって爪に接着させたまま、ネイルチップ２をアンテナ基板から剥がすことができる。
【００２８】
また、第４の接着部材９は、第３の接着部材８の第３の接着強度に比べて弱い第４の接着強度でネイルチップ２とアンテナ基板とを接着している。さらに、この為、アンテナ基板４とネイルチップ２とが接着されたまま人体から剥がされることを防ぐことができる。これにより、ＩＣチップ３とアンテナ基板４とが第２の接着部材７により接着されたままＩＣタグ１が人体から剥がされることを防ぐとともに、意図せずネイルチップ２がアンテナ基板４から剥がれることを防ぐことができる。また、第４の接着部材９は、例えばネイルチップ２に加えられた荷重による応力が集中するようにネイルチップ２とアンテナ基板４との接着面にボイドが形成されていてもよい。
【００２９】
また、第４の接着部材９は、第２の接着部材７の第２の接着強度と第４の接着強度との合計が第１の接着部材６の第１の接着強度よりも弱く構成されている。このような構成によると、アンテナ基板４とネイルチップ２との接着面と、アンテナ基板４とＩＣチップ３との接着面と、が、ネイルチップ２とＩＣチップ３との接着面より先に破壊されることを防ぐことができる。これにより、第１の接着部材６によってＩＣチップ３をネイルチップ２に接着させたままアンテナ基板４から剥がすことができる。
【００３０】
なお、上記の実施形態では、第１の接着部材６は、熱溶融型接着剤であると説明したがこの構成に限定されない。第１の接着部材６は、例えば熱硬化性接着剤、紫外線硬化性樹脂、エラストマー、エポキシ樹脂など如何なるものであってもよい。また、第１の接着部材６は、液体、ゲル状、ペースト状（半固体）、及び粘着性の部材など如何なるもので構成されていてもよい。
【００３１】
また、第３の接着部材８及び第４の接着部材９も同様に、熱硬化性接着剤、紫外線硬化性樹脂、エラストマー、エポキシ樹脂など如何なるものであってもよい。第３の接着部材８及び第４の接着部材９も同様に、液体、ゲル状、ペースト状（半固体）、及び粘着性の部材など如何なるもので構成されていてもよい。
【００３２】
なお、上記の実施形態では、アンテナ基板４を矩形状且つ扁平状に構成すると説明したがこの構成に限定されない。アンテナ基板４は、少なくともネイルチップ２の形状に対して小さく形成されていればよい。このように、アンテナ基板４がネイルチップ２よりも小さく形成されていることにより、ネイルチップ２を剥がす場合にアンテナ基板４に対して荷重が加えられることを防ぐことができる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…ＩＣタグ、２…ネイルチップ、３…ＩＣチップ、４…アンテナ基板、５…アンテナ、６…第１の接着部材、７…第２の接着部材、８…第３の接着部材、９…第４の接着部材、１０…剥離シート、１１…凹部、１２…アンテナ接続用端子、１３…アンテナ端子。
【図１】
2017211710.tif 000003
【図２】
2017211710.tif 000004
【図３】
2017211710.tif 000005
【図４】
2017211710.tif 000006
【図５】
2017211710.tif 000007